(57)【特許請求の範囲】
【請求項１】
一対の側面部１d，１eの両側縁同士が合掌状に合わされサイドシール部２１が設けられ下部に自立手段を有し上端に被包装物を収容する開口２４を有し、一方の側面部１dの上部に位置して該側面部１dを構成しているフィルムが袋上部外方へ張出して合掌状に重なり張出端において分断しているフィルム合掌部１a′、１b′があり、該フィルム合掌部の長さ方向中央部に袋の内側方向にＶ字形に突出する高圧蒸気逃がし手段であるヒートシール部１７aが設けられていて、該フィルム合掌部１a′、１b′の残りのヒートシール帯部分の形状が、該ヒートシール帯部分の内縁におけるフィルム合掌部１a′、１b′の立ち上がり基端ａと前記高圧蒸気逃がし手段形成開始端の近傍ｂとが直線または曲線で結ばれる肩部シール部１７b、１７bを有する構成である電子レンジ加熱調理用密封袋の製造方法であって、
原反ロールから積層フィルム１を繰り出して、カットマークｍを通る横線上の所要中程に二つのパンチ穴１c、１cを穿ってからフォーマー２に掛けてフィルムの両側部分１a、１bを折って筒状にしかつフィルム両側縁同士１a′、１b′を合掌状に合わせてから横に倒して下敷きのプラテン１６と上方から下降する特定形状のフィルム合掌部用ヒートシーラ１３とで挟圧してフィルム合掌部１a′、１b′に高圧蒸気逃がし手段であるヒートシール部１７aとその両側の肩部シール部１７b、１７bを施し、袋底部側となる積層フィルム１の断面Ｗ形に折り返すガセット部分１８を形成しかつ前記二つのパンチ穴１c、１cをガセット部分１８の内側で重ね、サイドシール用ヒートシーラ２０によりカットマークｍを通る横線上をヒートシールしてサイドシール部２１を設けかつガセット部分ループ部扁平用ヒートシーラ１４によりガセット部分１８の二つの下縁部にボトムシール部１９を形成して自立手段を備え、その後、袋開口形成用カッター２２により積層フィルム１の袋開口側のループ状折り返し端縁を切り落として袋の開口２４を設けかつ袋切り離しカッター２７によりカットマークｍに合わせてカットすることを特徴とする電子レンジ加熱調理用密封袋の製造方法。
【発明の詳細な説明】
【０００１】
【産業上の利用分野】
本願発明は、内部に収容した冷凍食品等の各種商品を加熱調理するに際して、加熱時に内圧の上昇によってヒートシール部の一部が開口し、袋の破裂、変形及び袋の破裂による内容物の吹きこぼれを防止できる加熱調理用密封袋に関し、特に、特公平８−２５５８３号の発明の高圧蒸気逃がし手段について、加熱時の内圧の上昇により内方にＶ字形に屈曲する突部のヒートシールが剥離して蒸気を逃がすときに内部の液が漏れないように改良された電子レンジ加熱調理用密封袋の製造方法に関する。
【０００２】
【従来の技術】
内部に収容した冷凍食品等の各種商品を加熱調理するに際して、加熱時に内圧の上昇によってヒートシール部の一部が開口し、容器の破裂、変形及び容器の破裂による内容物の吹きこぼれを防止できる電子レンジ加熱調理用密封容器として、基本的かつ最先の出願にかかる発明として、特公平８−２５５８３号（特許第２１２７０８０号）がある。
特許第２１２７０８０号の発明の成立性については、特開昭５８−８２８４９号の発明と比較して容易に理解できる。特開昭５８−８２８４９号の容器は、結局の所、容器の内側方向に突出するように形成されているヒートシールが実際には内圧によって凸出箇所より剥離が開始してヒートシールの外縁側に到達するには至らず開口することができず、内圧がさらに高まって破裂またはそれに近い状態で該凸出箇所が開口して内容物も飛び散る惧れがある未完成発明であるのに対し、
特許第２１２７０８０号の発明は、
「剥離可能なヒートシール帯を有する密閉容器であって、該ヒートシール帯の少なくとも一カ所が容器の内側方向に突出するように形成されているとともに、該突部に対応するヒートシール帯の外縁であって最も容器の内側方向に位置する部分が、ヒートシール帯の内縁にある該突部形成開始端を結んだ線よりも容器の内側方向に形成されていることを特徴とする，加熱調理用密封袋。」
であることにより、加熱時に内圧の上昇によって突出箇所より剥離が開始してヒートシールの外縁側に確実に到達して高圧蒸気を容器外へ逃がすことができて、容器の破裂、変形及び容器の破裂による内容物の吹きこぼれを防止できる完成発明だからである。
【０００３】
【発明が解決しようとする課題】
叙上のように、特公平８−２５５８３号（特許第２１２７０８０号）が実用上有効な優れた技術であると理解されるが、問題点が残っている。それは、容器の破裂による内容物の吹きこぼれを防止できるという効果は同公報の図６に示されるピロー包装袋においては達成できていないことである。すなわち、図６に示されるピロー包装袋に収容される冷凍食品等が加熱時に包装の厚みの半分の高さに近いレベルまで液面レベルが来るように多量に液を収容している食品であるときは、袋の破裂がなくても突部の開口から液が多量に吹きこぼれることが避けられない。
他方、特公平８−２５５８３号は、袋状の密閉容器としては図６に示されるピロー包装袋についてのみ顕在化して、効果的に液漏れが防止できる実施形態について明示も示唆もしていない。
【０００４】
本願発明者は、上述した点に鑑み、袋を試作して、水を八分目まで収容してヒートシールして密閉し、電子レンジで加熱して、(1)蒸気が袋内に必要十分に留められ所要高圧に上昇した時点で蒸気を逃がすべく設けたヒートシール部分である袋の内側方向にＶ字形に突出する高圧蒸気逃がし手段より蒸気を良好に逃がし得るか否か、(2) 蒸気を逃がす際に袋内の液汁が漏れ出ることがないか否か、(3)袋が転倒してしまう惧れがあるか否か、のテストを行った。
【０００５】
図３に示すように、袋上面に合掌接合部２９を有するスタンディングパックＰ2を作った（未公知）。この袋Ｐ2は、特開平１０−１０１１５４号公報の図３(c)に示す、袋上面に合掌接合部２９を有する四方シール袋の改良である。改良点は、ヒートシール部分である袋の内側方向にＶ字形に突出する高圧蒸気逃がし手段３０を特公平８−２５５８３号の発明で置き換えた。
電子レンジに入れて加熱した結果、加熱時に内圧の上昇に伴って上面中央に来る合掌接合部２９が垂直に起きあがるときには、蒸気が袋内に必要十分に留められ所要高圧に上昇した時点で、内方へ突出している高圧蒸気逃がし手段３０が開口して蒸気が逃げた。しかし、加熱時に内圧の上昇に伴って袋が膨れていくものの袋上面中央に来る背張りシールが横に倒れているままのときがあって、そのときは、高圧蒸気を袋内に必要十分に留めた時点で、合掌接合部２９とサイドシール３１の交差箇所が開口してしまい、ここから蒸気が逃げるとともに、袋内の液汁が漏れ出てしまった。
【０００６】
本願発明は、上述した袋を試作し加熱テストを繰り返して問題点を把握し、改良を重ねて案出したもので、蒸気が袋内に必要十分に留められ所要高圧に上昇した時点で蒸気を逃がす手段として、特公平８−２５５８３号に開示されている技術、すなわち、ヒートシール部分である袋の内側方向にＶ字形に突出する高圧蒸気逃がし手段を採用していて、加熱による高圧膨張時に蒸気を逃がす開口が丸く開いたままになる空間を袋上面の高い位置、又は袋側面部の上部に形成できて、しかもこの空間を加熱による高圧膨張時のみでなく電子レンジから取り出した後も維持できて、袋内の液汁が漏れ出ることがない，加熱調理用密封袋の製造方法を提供することを目的としている。
本願発明は、内部に収容した冷凍食品等の各種商品を加熱調理するに際して、加熱時に内圧の上昇によってヒートシール部の一部が開口し、袋の破裂、変形及び袋の破裂による内容物の吹きこぼれを防止できる加熱調理用密封袋に関し、特に、特公平８−２５５８３号の発明について、加熱時の内圧の上昇により内方にＶ字形に屈曲する突部のヒートシールが剥離して蒸気を逃がすときに内部の液が漏れないように改良された電子レンジ加熱調理用密封袋の製造方法を提供することを目的としている。
【０００７】
【課題を解決するための手段】
本願発明は、一対の側面部１d，１eの両側縁同士が合掌状に合わされサイドシール部２１が設けられ下部に自立手段を有し上端に被包装物を収容する開口２４を有し、一方の側面部１dの上部に位置して該側面部１dを構成しているフィルムが袋上部外方へ張出して合掌状に重なり張出端において分断しているフィルム合掌部１a′、１b′があり、該フィルム合掌部の長さ方向中央部に袋の内側方向にＶ字形に突出する高圧蒸気逃がし手段であるヒートシール部１７aが設けられていて、該フィルム合掌部１a′、１b′の残りのヒートシール帯部分の形状が、該ヒートシール帯部分の内縁におけるフィルム合掌部１a′、１b′の立ち上がり基端ａと前記高圧蒸気逃がし手段形成開始端の近傍ｂとが直線または曲線で結ばれる肩部シール部１７b、１７bを有する構成である電子レンジ加熱調理用密封袋の製造方法であって、
原反ロールから積層フィルム１を繰り出して、カットマークｍを通る横線上の所要中程に二つのパンチ穴１c、１cを穿ってからフォーマー２に掛けてフィルムの両側部分１a、１bを折って筒状にしかつフィルム両側縁同士１a′、１b′を合掌状に合わせてから横に倒して下敷きのプラテン１６と上方から下降する特定形状のフィルム合掌部用ヒートシーラ１３とで挟圧してフィルム合掌部１a′、１b′に高圧蒸気逃がし手段であるヒートシール部１７aとその両側の肩部シール部１７b、１７bを施し、袋底部側となる積層フィルム１の断面Ｗ形に折り返すガセット部分１８を形成しかつ前記二つのパンチ穴１c、１cをガセット部分１８の内側で重ね、サイドシール用ヒートシーラ２０によりカットマークｍを通る横線上をヒートシールしてサイドシール部２１を設けかつガセット部分ループ部扁平用ヒートシーラ１４によりガセット部分１８の二つの下縁部にボトムシール部１９を形成して自立手段を備え、その後、袋開口形成用カッター２２により積層フィルム１の袋開口側のループ状折り返し端縁を切り落として袋の開口２４を設けかつ袋切り離しカッター２７によりカットマークｍに合わせてカットすることを特徴とする電子レンジ加熱調理用密封袋の製造方法を提供するものである。
【０００８】
【発明の実施の形態】
本願発明の電子レンジ加熱調理用密封袋の製造方法を図１、図２(a),(b),(c)を参照して説明する。
図１において、１は原反ロールから繰り出される積層フィルムであり、最内層のシーラントフィルムが耐熱性直鎖型ポリエチレン（LLDPE）や未延伸ポリプロピレン(CPP)等から構成されている。積層フィルム１には、カットマークｍが袋幅に合わせて裏刷り印刷されている。
【０００９】
２はフォーマーであり、センターフォーマー２aとサイドフォーマー２b、２cと抑えガイド２d、２eで構成されている。フライングカッタータイプのパンチ装置により走行する積層フィルム１に二つのパンチ穴１c，１cを穿ってから、積層フィルム１の内面側をセンターフォーマー２aの下面に合わせるように導いてセンターフォーマー２aの傾斜辺部分を通り越させてセンターフォーマー２aの下流側平行部分の両側にはみ出す積層フィルムの両側部分１a、１bをセンターフォーマー２aとサイドフォーマー２b、２cの隙間に通してから抑えガイド２d、２eでサイドフォーマー２b、２cの上面に張り出すフィルム張出部をセンターフォーマー２aの下流側平行部分の上面に折り重ねて扁平な筒状に折込む役目を果たす。
【００１０】
３aはセンターフォーマー２aに立設されたリブであり、３b、３cは抑えガイド２d、２eに立設されたリブであり、これらリブ３a、３b、３cはセンターフォーマー２aの上面中央から偏った位置で積層フィルム１の両縁１a′、１b′をフォーマー上面に対して垂直に立てる役目を果たす。積層フィルム１の両縁１a′、１b′は、リブ３a、３b、３cの下流側で合掌状態になる。右側の抑えガイド２eの下流側端部２e′は合掌状態になる積層フィルム１の両縁１a′、１b′の立ち上がり基端に位置し、左側の抑えガイド２dの下流側端部２d′は合掌状態になる積層フィルム１の両縁１a′、１b′を右側に倒す役目を果たしている。
【００１１】
４a、４bはセンターフォーマー２aの上面側に設けられたフリー回転自在なフィルム送り用の受けロールであり、ロール面がセンターフォーマー２aに設けた開口に入り込んでセンターフォーマー２aの下面に一致していて、センターフォーマー２aの下面側に設けられる図示しないフィルム送り用の駆動ロールと共同して積層フィルム１に送りを与える役目を果たす。
【００１２】
５はセンターフォーマー２aの下流端左側に固定されていてセンターフォーマー２aの板厚方向に二股状に分かれているガセット形成用の二条ガイドである。二条ガイド５は、上流端５aの上下面がセンターフォーマー２aの上下面と一致していて下流側に向かって次第に厚さを増すとともにこの厚さを増す部分の左側縁５bが袋幅を狭めるように傾斜している。
【００１３】
６は回転駆動される円盤からなるガセット形成用の谷折りガイドであり、周速度が積層フィルム１の走行速度に等しくなるように回転駆動される。谷折りガイド６は、積層フィルム１のループ状折り返し部を二条ガイド５の二股状の隙間に入り込ませて断面Ｗ形になるようにガセット折り部を設けるする役目を果たす。
【００１４】
７から１１は上下一対に設けられる駆動ロールであり、積層フィルム１の折込み状態を維持するように上下から挟圧しかつ送りを与える役目を果たす。
【００１５】
１２は上下一対に設けられるフリー回転ロールであり、積層フィルム１の折込み状態を維持して、折込み円盤６で積層フィルム１がガセット折りされるときに合掌部が引っ張られることを防止す役目を果たす。
【００１６】
駆動ロール７と駆動ロール８との間に図示しない段差ロール装置が設けられることにより、駆動ロール７を含む上流側ではフィルムを連続送りするようになっており、駆動ロール８を含む下流側ではフィルムを袋幅ピッチで間欠送りするようになっている。
【００１７】
駆動ロール８と駆動ロール９との間に、フィルム合掌部用ヒートシーラ１３と、ガセット部分ループ部扁平用ヒートシーラ１４と、袋口側ループ部扁平用ヒートシーラ１５が設けられている。
【００１８】
下面に断熱材が貼られているプラテン１６が前記右側の抑えガイド２eの下流側端部２e′と同じに、積層フィルム１の両縁１a′、１b′の右側に倒された合掌部の下側に挟入して設けられていて、フィルム合掌部用ヒートシーラ１３が積層フィルム１の両縁１a′、１b′の右側に倒された合掌部を押圧して高圧蒸気逃がし手段であるヒートシール部１７a、及び肩部シール部１７b，１７bを施すようになっている。
【００１９】
ガセット部分ループ部扁平用ヒートシーラ１４は、断面Ｗ形に折り返す四枚合わせのガセット部分１８の下縁部にボトムシール部１９を形成して袋の側面部の下端がループ状で底面部との境目がなくルーズな感じになるのを回避して、袋をタイトな感じとなし、安定したスタンドパック形態にする役目を果たしている。ボトムシール部１９を形成することは安定したスタンドパック形態にするために必須である。
【００２０】
袋口側ループ部扁平用ヒートシーラ１５は、積層フィルム１の袋開口側のループ状折り返し部に扁平な折癖を付けるか、ヒートシールを施す役目を果たす。この端縁は下流側で切除するのでヒートシールでなく折癖を付けるだけで足りる。しかし、積層フィルム１の袋開口側のループ状折り返し部は、上下一対に設けられる駆動ロール７〜１１で挟圧されるから、袋口側ループ部扁平用ヒートシーラ１５を設けることは必須ではない。
【００２１】
２０は上下一対のサイドシール用ヒートシーラであり、カットマークを通る横線がシール幅中央に来るように約１０ｍｍ幅をヒートシールして袋のサイドシール部２１を形成するとともに断面Ｗ形の四枚合わせのガセット部分１９の側縁を二つのパンチ穴１c，１cが対向する個所で両外側のフィルム同士を溶着してガセット部分１９が袋側部で開かないようにし、もって袋の自立手段を構成する役目を果たすようになっている。サイドシール部２１を形成すること、及びパンチ穴１c，１cが対向する個所で両外側のフィルム同士を溶着してガセット部分１９が袋側部で開かないようにすることは必須である。
しかし、サイドシール部２１の形成を先に行うようにすると、高圧蒸気逃がし手段であるヒートシール部１７a、及びその両側の肩部シール部１７b，１７bを施すことができない。積層フィルム１の両縁１a′、１b′の右側に倒された合掌部を押圧して高圧蒸気逃がし手段であるヒートシール部１７a、及び肩部シール部１７b，１７bを施すことをサイドシール部２１の形成に優先する製袋工程とすることが必須である。
【００２２】
２２は上下一対の円盤カッターからなる袋開口形成用カッターであり、フィルムを間欠送りするときに袋開口側のループ状折り返し部の弱小寸法の切除部分２３を切り落として袋の開口２４を設ける役目を果たす。切除部分２３を切り落として袋の開口２４を設けることは、サイドシール部２１を形成した後の必須工程である。なお、袋開口形成用カッター２２は円盤カッターである必要はない。
【００２３】
２５は突っ切りカッターであり、袋に開封用のノッチ２６を設ける役目を果たす。
【００２４】
２７は袋切り離しカッターであり、カットマークに一致するシール幅中央をカットして袋Ｐを切り離す役目を果たす。なお、袋Ｐを切り離した後に袋開口側のループ状折り返し部の弱小寸法の切除部分２３を切り落として袋の開口２４を設けるようにしても良い。
【００２５】
続いて、本願発明の電子レンジ加熱調理用密封袋の製造方法を説明する。
図示しない原反ロールから積層フィルム１を繰り出して、カットマークｍを通す横線上の所要中程に間隔を開けて二つのパンチ穴１c、１cを穿ってからフォーマー２に掛けてフィルムの両側部分１a、１bをフォーマー２の上面側に折込んで、フィルム両側縁同士１a′、１b′を合掌状に合わせてから袋開口を設ける側に横に倒してその下に横架するプラテン１６と上方から下降する特定形状のフィルム合掌部用ヒートシーラ１３を押し当ててフィルム合掌部１a′、１b′に前記の高圧蒸気逃がし手段であるヒートシール部１７a及び肩部シール部１７b、１７bを施すとともに、積層フィルム１の袋底部側のループ状折り返し部に外方から谷折りガイド６をセンターフォーマー２aに支持される二条ガイド５の隙間に押し込んで、該ループ状折り返し部を断面Ｗ形に折り返す四枚合わせのガセット部分１８を形成し前記二つのパンチ穴１c、１cをガセット部分１８の内側で対向させ、次いでサイドシール用ヒートシーラ２０によりカットマークｍに合わせてサイドシール部２１を形成するとともに二つのパンチ穴１c、１cが対向する個所を溶着してガセット部分が袋側部で開かないようにして袋の自立手段を構成し、次いで、突っ切りカッター２５によりノッチ２６，２６を設け、袋開口形成用カッター２２により積層フィルム１の袋開口側のループ状折り返し部の弱小幅部分２３を切り落として袋の開口２４を設け、袋切り離しカッター２７によりカットマークｍに合わせてカットすると、図２(a) ,(b)に示す電子レンジ加熱調理用密封袋Ｐを製造できる。
【００２６】
続いて、上記のように製造される電子レンジ加熱調理用密封袋Ｐの構成と包装形態を改めて説明する。
図２(a) ,(b)に示すように、一対の側面部１d、１eの両側縁同士が合掌状に合わされサイドシール部２１が設けられ下部に自立手段を有し上端に被包装物を収容する開口２４を有し、一方の側面部１dの上部に位置して該側面部１dを構成しているフィルムが袋上部外方へ張出して合掌状に重なり張出端において分断しているフィルム合掌部１a′、１b′があり、該フィルム合掌部１a′、１b′に、袋内方にＶ字形に突出する剥離可能な高圧蒸気逃がし手段であるヒートシール部１７aとその両側の肩部シール部１７b、１７bが設けられていて、該肩部シール部１７b、１７bの袋内方側の輪郭形状が、フィルム合掌部１a′、１b′の立ち上がり基端ａと前記高圧蒸気逃がし手段形成開始端の近傍ｂとが直線または曲線１７b′で結ばれており、またフィルム合掌部１a′、１b′の下側近傍には加熱調理後に開封するためのノッチ２６、２６が設けられていて、図２(c)示すように、上端の開口２４より冷凍食品あるいはフカヒレスープ等の被包装物Ｓを収容して、該開口２４の端縁にトップシール部２８を設けてなる。
【００２７】
従って、図２(a),(b)に示す電子レンジ加熱調理用密封袋Ｐは、剥離可能なヒートシール帯を有するスタンディングパックとして構成されていて、該ヒートシール帯の一カ所が容器の内側方向にＶ字形に突出する高圧蒸気逃がし手段１７aが形成されているとともに、該高圧蒸気逃がし手段１７aに対応するヒートシール帯の外縁であって最も容器の内側方向に位置する部分が、ヒートシール帯の内縁にある該高圧蒸気逃がし手段形成開始端を結んだ線よりも容器の内側方向に位置していて、加熱時に袋内蒸気圧の上昇により該高圧蒸気逃がし手段のヒートシールが剥離して蒸気を逃がす構成であり、加熱時の内圧の上昇により内方にＶ字形に屈曲する突部のヒートシールが剥離して蒸気を逃がすときに内部の液が漏れないように改良したものである。
【００２８】
図２(a) ,(c)に示すように、開口２４より冷凍食品あるいはフカヒレスープ等の被包装物Ｓを収容して、該開口２４の端縁にトップシール２８を施してなる電子レンジ加熱調理用密封袋Ｐを電子レンジに入れて加熱調理を行う。加熱により袋内の蒸気が高温・高圧になりパンパンに膨張する。すると、図２(c)に示すように、側面部１dと１eとで構成されている袋本体部分が膨張すると共に、フィルム合掌部１a′、１b′と肩部シール部１７b、１７bの内側部分が空間を形成し膨張することにより、フィルム合掌部１a′、１b′を構成している二枚のフィルムが離れようとしてその力が袋内方にＶ字形に突出する高圧蒸気逃がし手段１７aの内端に最大に集中し、高圧蒸気逃がし手段１７aの内端よりヒートシールの剥離が行われていく。高圧蒸気逃がし手段１７aが開口すると、高圧蒸気が逃げて袋の破裂を回避できる。従って、袋の破裂による内容物の吹きこぼれも防止できる。袋内の圧力は、蒸気の発生が蒸気の逃げと均衡するようになるまでは上昇し、高圧蒸気逃がし手段１７aのヒートシールを内端より剥離を持続して開口を大きくしていき、開口の大きさが３mmφ〜４mmφ位になると、蒸気の発生量と高圧蒸気の逃げる量が略平衡して内圧の上昇が停止し剥離を停止する。
フィルム合掌部１a′、１b′と肩部シール部１７b、１７bの内側部分の空間の膨張は、側面部１dと１eとで構成されている袋本体部分の膨張の上に重なっていて、かつ、高圧蒸気逃がし手段１７aが全開せずＶ字の偏平部が残るので、高圧蒸気逃がし手段１７aの両側で対称的に盛り上がる空間になり、これがフィルム合掌部１a′、１b′を構成している二枚のフィルムの中央部の両側が持ち上がろうとする応力として作用して、高圧蒸気逃がし手段１７aの外縁の三角形の未溶着部分１７cがラッパ状に開かれる。
このため、袋内に多量の液があっても、高圧蒸気を逃がす開口が十分に大きく高い位置に確保されるので、多量の液汁があっても吹きこぼれしない。
加熱を止めて電子レンジから取り出すと、袋内が陰圧になるが、高圧蒸気を逃がす開口が十分に大きく確保されているので、袋内温度の冷却に対応して高圧蒸気を逃がす開口から僅かずつ外気が流入し、これにシーラントフィルムが延伸による若干の形状保持機能を有するので、袋が潰れることがないから、袋内の液汁が開口から漏れ出ることがない。
【００２９】
本願発明に係る電子レンジ加熱調理用密封袋Ｐの製造方法は、最内層のシーラントフィルムが全面的に、耐熱性直鎖型ポリエチレン（LLDPE）や未延伸ポリプロピレン(CPP)等の同一素材から構成されている積層フィルムを採用してヒートシールにより高圧蒸気逃がし手段１７aを溶着形成し、イージーピール等は使用しないので、フィルム合掌部１a′、１b′の高圧蒸気逃がし手段１７aとその両側の肩部シール部１７b、１７b、サイドシール２１、２１、ボトムシール１９、トップシール２８を形成するときのシール温度やシール圧力は均一に得られる。高圧蒸気逃がし手段７に対応する部分に、最内層のシーラントフィルムとは別素材を部分的に表面に加工したり、相対する面に別素材を用いたりしてはいない。又、高圧蒸気逃がし手段１７aに対応する部分に、シール強度を弱くするための低温ヒートシール又は低圧力ヒートシールという処理も行ってはいない。
【００３０】
【発明の効果】
本願発明の電子レンジ加熱調理用密封袋の製造方法によれば、
蒸気が袋内に必要十分に留められ所要高圧に上昇した時点で蒸気を逃がす手段として特公平８−２５５８３号の技術を採用していて、加熱による高圧膨張時に蒸気を逃がす開口が丸く開いたままになる空間を袋上面部の高い位置、又は袋側面部の上部に形成できて、しかもこの空間を加熱による高圧膨張時のみでなく電子レンジから取り出した後も維持できて、袋内の液汁が漏れ出ることがなく、袋が転倒してしまう惧れが無く、内部に収容した冷凍食品等の各種商品を加熱調理するに際して、加熱時に内圧の上昇によってヒートシール部の一部が開口し、容器の破裂、変形及び容器の破裂による内容物の吹きこぼれを防止できる電子レンジ加熱調理用密封袋を製造することができる。
又、本願発明の電子レンジ加熱調理用密封袋の製造方法によれば、蒸気を逃がす手段として特公平８−２５５８３号の技術を採用しているので、密封袋を構成する積層フィルムの最内層のシーラントフィルムを、全面的に、耐熱性直鎖型ポリエチレン（LLDPE）や未延伸ポリプロピレン(CPP)等の同一素材から構成することができて、何の特別の加工もしなくて良いので、生産コストが安く、しかも外圧に対して破裂する心配が無く、蒸気が袋内に必要十分に留められ、加熱調理用の袋としての信頼性が頗る高い。
【図面の簡単な説明】
【図１】本願発明の実施の形態に係る電子レンジ加熱調理用密封袋の製造方法を示す概略の平面図。
【図２】本願発明の実施の形態に係り、(a)は電子レンジ加熱調理用密封袋の斜視図、(b)は電子レンジ加熱調理用密封袋の縦断面図、(c)は電子レンジ加熱調理用密封袋に被包装物を収容して開口をヒートシールして電子レンジで加熱したときの膨張した状態を示す斜視図。
【図３】本願発明者による本願発明の完成に至る前の未公知の試作品に係る，袋側面上部に合掌接合部が有るスタンディングパックとした電子レンジ加熱調理用密封袋の斜視図。
【符号の説明】
１・・・積層フィルム、１a、１b・・・フィルムの両側部分、１a′、１b′・・・フィルム合掌部/フィルム両側縁、１c・・・パンチ穴、１d，１e・・・側面部、ｍ・・・カットマーク、２・・・フォーマー、１３・・・フィルム合掌部用ヒートシーラ、１４・・・ガセット部分ループ部扁平用ヒートシーラ、１６・・・プラテン、１７a・・・ヒートシール部、１７b、１７b・・・肩部シール部、１８・・・ガセット部分、１９・・・ボトムシール部、２０・・・サイドシール用ヒートシーラ、２１・・・サイドシール部、２２・・・袋開口形成用カッター、２４・・・開口、２７・・・袋切り離しカッター、
【図１】
0003665795.tif 000002
【図２】
0003665795.tif 000003
【図３】
0003665795.tif 000004